(57)【要約】【課題】作製時に簡易な卓上ノンインパクトプリンタで印刷できるようにし、かつ、使用時に簡単に隠蔽作業を行えるようにすること。【解決手段】Ａ４判サイズの表紙１と裏紙２を再剥離粘着剤１４で貼合し、フラットな印字面を有する隠蔽ハガキ用シート３を作製し、そのシート３を長手方向に二等分する中央位置に切り取り用のミシン目５を形成して二つの隠蔽ハガキ４、４を分割可能に連接して設ける。隠蔽ハガキ４は表紙１にミシン目６を介して宛名部１１と隠蔽部１２を折り畳み可能に連接し、裏紙２にスリット７を介して通信部２１と剥離部２２を切り離し可能に連接することにより、剥離部２２を切り離して隠蔽部１２を折り畳んだとき、隠蔽部１２と通信部２１が再剥離粘着剤１４で再剥離可能に接着されて郵便ハガキの規定重量を満たすようにする。【選択図】図１
0003112842.tif 000002
【実用新案登録請求の範囲】
【請求項１】
郵便ハガキの２倍サイズの表紙と裏紙を再剥離粘着剤で貼合して構成され、
上記表紙にミシン目を中心にして宛名部と隠蔽部が折り畳み可能に連接されるとともに、上記裏紙にスリットを中心にして上記宛名部に対応する通信部と上記隠蔽部に対応する剥離部とが切り離し可能に連接されており、
上記剥離部を剥がして上記隠蔽部を折り畳んだとき、上記隠蔽部が上記再剥離粘着剤を介して上記通信部に再剥離可能に接着されて郵便ハガキの規定重量を満たすようにしたことを特徴とする隠蔽ハガキ。
【請求項２】
郵便ハガキの２倍サイズの表紙と裏紙を再剥離粘着剤で貼合して構成され、
上記表紙にミシン目を中心にして宛名部と隠蔽部が折り畳み可能に連接されるとともに、上記裏紙にスリットを中心にして上記宛名部に対応する通信部と上記隠蔽部に対応する剥離部とが切り離し可能に連接されており、
上記剥離部を剥がして上記隠蔽部を折り畳んだとき、上記隠蔽部が上記再剥離粘着剤を介して上記通信部に再剥離可能に接着されて郵便ハガキの規定重量を満たし、かつ、上記隠蔽部を再剥離したとき、上記通信部に上記再剥離粘着剤が残存せず筆記及び捺印適性を備えた保護層が現われるようにしたことを特徴とする隠蔽ハガキ。
【請求項３】
Ａ４判サイズの表紙と裏紙を再剥離粘着剤で貼合したシート体で構成され、
上記シート体を長手方向に二等分する中央位置に切り取り用のミシン目が形成され、このミシン目を介して二つの隠蔽ハガキが分割可能に連接されてなり、
上記各隠蔽ハガキは、
上記表紙にミシン目を中心にして宛名部と隠蔽部が折り畳み可能に連接されるとともに、上記裏紙にスリットを中心にして上記宛名部に対応する通信部と上記隠蔽部に対応する剥離部とが切り離し可能に連接されており、
上記各隠蔽ハガキに分割し、上記剥離部を剥がして上記隠蔽部を折り畳んだとき、上記隠蔽部が上記再剥離粘着剤を介して上記通信部に再剥離可能に接着されて郵便ハガキの規定重量を満たすようにしたことを特徴とする隠蔽ハガキ用シート。
【請求項４】
Ａ４判サイズの表紙と裏紙を再剥離粘着剤で貼合したシート体で構成され、
上記シート体を長手方向に二等分する中央位置に切り取り用のミシン目が形成され、このミシン目を介して二つの隠蔽ハガキが分割可能に連接されており、
上記各隠蔽ハガキは、
上記表紙にミシン目を中心にして宛名部と隠蔽部が折り畳み可能に連接されるとともに、上記裏紙にスリットを中心にして宛名部に対応する通信部と隠蔽部に対応する剥離部とが切り離し可能に連接されており、
上記各隠蔽ハガキに分割し、上記剥離部を剥がして上記隠蔽部を折り畳んだとき、上記隠蔽部が上記再剥離粘着剤を介して上記通信部に再剥離可能に接着されて郵便ハガキの規定重量を満たし、かつ、上記隠蔽部を再剥離したとき、上記通信部に上記再剥離粘着剤が残存せず筆記及び捺印適性を備えた保護層が現われるようにしたことを特徴とする隠蔽ハガキ用シート。
【考案の詳細な説明】
【技術分野】
【０００１】
本考案は、例えば口座振替申込書、クレジット払い申込書、あるいは住所変更届のように個人情報を取り扱う郵便物に好適な隠蔽ハガキと隠蔽ハガキ用シートに関する。
【背景技術】
【０００２】
従来、上記のような用途で利用される郵便物として、本出願人が先に出願して特許された隠蔽ハガキが知られている（下記の特許文献１参照）。
【０００３】
【特許文献１】特許第２９３７７３２号公報
【０００４】
上記文献の隠蔽ハガキは、同サイズのハガキ用紙と隠蔽用紙が折り畳み可能に接合されており、ハガキ用紙の片面に記入欄と捺印欄を設け、これと対向する隠蔽用紙の片面に再剥離粘着剤を介して剥離紙を貼着した構成である。そして使用時には、記入欄に金融機関名や口座番号を記入するとともに捺印欄に届出印を捺印し、剥離紙を剥がして隠蔽用紙を折り畳むようにする。これにより、ハガキ用紙と隠蔽用紙が再剥離粘着剤によって再剥離可能に接着され、ハガキ用紙の記入欄と捺印欄を隠蔽した状態で郵送できるようになっている。しかしこの隠蔽ハガキは、剥離紙を剥がして折り畳むだけの簡単な作業でユーザが利用しやすい反面、これを作製する企業にとっては、印刷時に以下のような問題を抱えていた。
【０００５】
上述したように、この隠蔽ハガキは、隠蔽用紙に再剥離粘着剤を介して剥離紙が貼着されているのに対し、ハガキ用紙には何も貼着されていないので、見開き状態にすると両用紙の間に段差が生じてしまう。このため、例えばインクジェットプリンタのような卓上ノンインパクトプリンタで印字しようとすると、その段差が原因でハガキの安定走行に支障を来たし、紙詰まりやトナーが定着しないといったトラブルを引き起こす。特に隠蔽用紙に剥離紙が貼着されているため、プリンタでの搬送中に剥離紙が剥がれてしまったり、紙厚が大きすぎてローラ間を上手く通過しなかったりして、そのようなトラブルが起こりやすい。その一方で、他の印刷手段としてドットインパクトプリンタを使用する方法や、連続用紙にしてレーザープリンタを使用する方法も考えられるが、前者は印刷速度が遅くて大量印刷に不向きであり、後者は大量印刷に向いているもののプリンタが高価で汎用性に劣るという欠点がある。
【考案の開示】
【考案が解決しようとする課題】
【０００６】
本考案は以上のような問題を解決するためになされたものであり、その目的とするところは、ハガキを利用するユーザにとって簡単な作業で機密性を保持できるようにしつつ、ハガキを作製する企業にとって簡易な卓上ノンインパクトプリンタでの印字適性が得られるようにした隠蔽ハガキと隠蔽ハガキ用シートを提供することにある。
【課題を解決するための手段】
【０００７】
上記の目的を達成するため、本考案に係る隠蔽ハガキは、郵便ハガキの２倍サイズの表紙と裏紙を再剥離粘着剤で貼合して構成され、上記表紙にミシン目を中心にして宛名部と隠蔽部が折り畳み可能に連接されるとともに、上記裏紙にスリットを中心にして上記宛名部に対応する通信部と上記隠蔽部に対応する剥離部とが切り離し可能に連接されており、上記剥離部を剥がして上記隠蔽部を折り畳んだとき、上記隠蔽部が上記再剥離粘着剤を介して上記通信部に再剥離可能に接着されて郵便ハガキの規定重量を満たすようにしたことを特徴とする。
【０００８】
また、同様の目的を達成するため、本考案に係る隠蔽ハガキ用シートは、Ａ４判サイズの表紙と裏紙を再剥離粘着剤で貼合したシート体で構成され、上記シート体を長手方向に二等分する中央位置に切り取り用のミシン目が形成され、このミシン目を介して二つの隠蔽ハガキが分割可能に連接されてなり、上記各隠蔽ハガキは、上記表紙にミシン目を中心にして宛名部と隠蔽部が折り畳み可能に連接されるとともに、上記裏紙にスリットを中心にして上記宛名部に対応する通信部と上記隠蔽部に対応する剥離部とが切り離し可能に連接されており、上記各隠蔽ハガキに分割し、上記剥離部を剥がして上記隠蔽部を折り畳んだとき、上記隠蔽部が上記再剥離粘着剤を介して上記通信部に再剥離可能に接着されて郵便ハガキの規定重量を満たすようにしたことを特徴とする。
【０００９】
本考案において、再剥離粘着剤とは、表紙と裏紙を貼り合わせた後に再び剥がすことが可能な粘着力を有するものであって、例えばアクリル系エマルジョン型の粘着剤が好適に用いられる。
【００１０】
また、上記構成からなる隠蔽ハガキ及び隠蔽ハガキ用シートにおいて、隠蔽部を再剥離した後、通信部に再剥離粘着剤が残存しないように、筆記及び捺印適性を備えた保護層が現われるようにしてもよい。この場合、保護層は通信部の視認性を妨げないように、透明でかつ油性の耐水インキを塗布するものとし、そのような耐水インキとして例えばＵＶメジュウム、マットＯＰニス、ＰＯＰ白インキ等が好適な材料として挙げられる。これらのインキはいずれもシリコーン系成分を含んでいないか、又は含んでいても約１％程度と非常に微量なので、その上に良好な筆記適性と捺印適性が得られる。
【考案の効果】
【００１１】
本考案によれば、隠蔽ハガキを作製する企業と、これを利用するユーザにとって以下のような効果がある。
【００１２】
隠蔽ハガキを作製する企業にとっては、同サイズの表紙と裏紙を貼り合わせてフラットな印字面にしたことによって、インクジェットプリンタに代表される卓上のノンインパクトプリンタを使用した場合でも安定して搬送することができ、従来のような紙詰まりやトナーが定着しないといったトラブルを解消することができる。また、隠蔽ハガキ用シートを使用すれば、シートの表裏面に同時にハガキ２枚分の印字が可能になるので、印刷処理に要する時間の短縮化に繋がり生産効率を向上させることができる。
【００１３】
さらに、隠蔽ハガキの通信部の上に保護層を設けた場合には、返信された隠蔽ハガキが郵送途中で水濡れして再剥離粘着剤の接着力が増していたとしても、通信部を破損せずに隠蔽部だけを容易に剥がすことができる。しかも保護層の上に糊残りすることがないので記入事項が読み取れなくなる恐れもなく、またその上に新たな筆記や捺印を行うことができるようになり業務上便利である。
【００１４】
一方、隠蔽ハガキを利用するユーザにとっては、通信部に所定事項を記入した後、剥離部を剥がして折り畳むことにより通信部を隠蔽した状態で返送できるので、通信部に記入した情報が郵送途中で漏れる心配もなく安心である。また、剥離部を剥がして折り畳むだけの作業で返信用の隠蔽ハガキが完成するので、その使い方も簡単で理解しやすいものになっている。
【考案を実施するための最良の形態】
【００１５】
以下、本考案の一実施例について、添付した図面に基づき説明する。図１、図２は本考案に係る隠蔽ハガキ用シートの構成を示す外観図、図３は隠蔽ハガキの断面図、図４〜図７は隠蔽ハガキ用シートと隠蔽ハガキの使用方法を示す説明図である。
【００１６】
まずは隠蔽ハガキ用シートと隠蔽ハガキの構成について、図１〜図３を参照しながら説明する。本実施例は返信ハガキの通信面を隠蔽して郵送できるようにした例であって、作製効率と印刷効率を考慮して、Ａ４判サイズ（縦２９７ｍｍ×横２１０ｍｍ）の表紙１と同じくＡ４判サイズの裏紙２とを貼り合わせたシート体を形成し、このシート体からなる隠蔽ハガキ用シート３を区画して隠蔽ハガキ４を作製するものとした。本実施例では表紙１に中厚口の上質紙７０Ｋを、裏紙２に薄口の上質紙５５Ｋを使用し、両用紙１、２を再剥離粘着剤１４で貼り合わせることにより、郵便ハガキの規定重量（ハガキ本体の重量が２ｇ以上、貼付後の全体重量が６ｇ以内）を満たすようにしてある。
【００１７】
図１、図２において、隠蔽ハガキ用シート３は、その長手方向を二等分する中央位置に切り取り用のミシン目５が形成され、このミシン目５を介して図中上下に二つの隠蔽ハガキ４、４が分割可能に連接して設けられている。すなわち、切り取り用のミシン目５を切断して分割すると、一つの隠蔽ハガキ４のサイズはＡ５判サイズ（縦１４８ｍｍ×横２１０ｍｍ）と同じになり、郵便ハガキの規定サイズ（縦１４０〜１５４ｍｍ×横９０〜１０７ｍｍ）の約２倍の大きさになっている。
【００１８】
図１に示すように、表紙１を短手方向に二等分する中央位置にはミシン目６が形成されており、このミシン目６を折り畳み可能にするため、上記切り取り用のミシン目５に比べカット部の長さを短く設定し、切断されにくくしてある。表紙１にはこの折り畳み用のミシン目６を中心にして図中右側領域に宛名部１１が設定され、左側領域に隠蔽部１２が設定される。宛名部１１では、表紙１の表面に「郵便はがき」の文字からなる郵便表示や郵便番号記入欄等の所定事項が印刷される。また、隠蔽部１２では、表紙１の表面に周縁を除くほぼ全面にわたり濃色系のインキで地紋を印刷した隠蔽層１３が設けられている。
【００１９】
図２に示すように、裏紙２を短手方向に二等分する中央位置には切り取り用のスリット７が形成され、このスリット７を中心にして図中左側領域（宛名部１１に対応する領域）に通信部２１が設定され、右側領域（隠蔽部１２に対応する領域）に剥離部２２が設定される。
【００２０】
通信部２１では、裏紙２の裏面に機密性が求められる情報記入欄２３が表示され、この情報記入欄２３を覆うようにして、周縁を除くほぼ全面にわたり筆記及び捺印適性を備えた保護層２４が設けられている。この保護層２４は情報記入欄２３の視認性を妨げないように、透明でかつ油性の耐水インキを塗布して形成されるものであって、そのような耐水インキとして例えばＵＶメジュウム、マットＯＰニス、ＰＯＰ白インキ等が好適な材料として挙げられる。これらのインキはいずれもシリコーン系成分を含んでいないか、又は含んでいても約１％程度と非常に微量なので、筆記又は捺印をしてもかすれやにじみが起こらない。なおその塗布量については、光沢度計による６０度鏡面光沢度の測定値で非塗布面との差が０．５〜２．０％の範囲内になるように設定する。
【００２１】
剥離部２２は、裏紙２の裏面がフリースペースになっていて、隠蔽する必要のない情報欄として利用できる。またその裏側に当たる裏紙２の表面には、シリコーン系の剥離剤を薄く均一に塗布した剥離層２５が設けられている。
【００２２】
図３に示すように、上記構成からなる表紙１と裏紙２は、表紙１の裏面の周縁を除くほぼ全面にわたって再剥離粘着剤１４が塗布されており、この再剥離粘着剤１４によって貼合されている。このように表紙１の周縁を除いて塗布する理由は、表紙１と裏紙２を貼り合わせたとき、再剥離粘着剤１４が両用紙１、２の周縁からはみ出さないようにするためである。再剥離粘着剤１４は両用紙１、２を貼り合わせた後に再び剥がすことが可能な粘着力を有するものであって、例えばアクリル系エマルジョン型の粘着剤が好適に用いられる。なお、剥離部２２については、スリット７を裂くことにより、再剥離粘着剤１４と剥離層２５との境界面Ｐを介して容易に剥がせるようになっている。
【００２３】
次に、隠蔽ハガキ用シートと隠蔽ハガキの使用方法について、図４〜図７を参照しながら説明する。本実施例は隠蔽ハガキの通信部を口座振替申込書に適用した例である。
【００２４】
図４に示すように、隠蔽ハガキ４を口座振替申込書として使用する場合、企業はまず隠蔽ハガキ用シート３に所定事項を印刷する。同図（ア）のように隠蔽ハガキ用シート３の表面において、宛名部１１の郵便番号記入欄に郵便番号を、またその宛名面に返信時の宛先を印字する。一方、同図（イ）のように隠蔽ハガキ用シート３の裏面には、通信部２１の情報記入欄２３に口座振替申込書として必要な申込者記入欄、振替口座記入欄、届出印の捺印欄を印刷し、剥離部２２のフリースペースに例えば隠蔽ハガキ４の使用方法や情報記入欄２３への記入例を印刷する。
【００２５】
ここで、隠蔽ハガキ用シート３はＡ４判サイズの上質紙どうしを貼り合わせ、その表裏面に段差をなくしフラットな印字面になるようにしてある。このため、例えばインクジェットプリンタ等の卓上プリンタを使用した場合でも安定して搬送することができ、従来のような紙詰まりやトナーが定着しないといったトラブルも起こらず、卓上プリンタで印刷することが可能になる。また、隠蔽ハガキ用シート３の表裏面に同時にハガキ２枚分の印字ができるので、印刷処理に要する時間が短くなり生産効率が向上する。そしてプリンタによる印刷後、隠蔽ハガキ用シート３の切り取り用のミシン目５を切断し、各々の隠蔽ハガキ４、４に分割する。
【００２６】
一方、この隠蔽ハガキ４を利用するユーザは、図５に示すように隠蔽ハガキ４を見開き状態にして、剥離部２２に印刷された記入例を見ながら通信部２１の情報記入欄２３に所定事項を記入する。この情報記入欄２３の上には筆記及び捺印適性を備えた保護層２４が設けられているので、申込者記入欄と振替口座記入欄への筆記、及び捺印欄への捺印をかすれやにじみのない状態で良好に行うことができる。そして筆記と捺印を終えた後、同図のように剥離部２２を剥がして除去する。このとき、通信部２１と剥離部２２の間にあるスリット７を裂くことにより、剥離部２２は剥離層２５と再剥離粘着剤１４との境界面で容易に剥がせるようになっている。
【００２７】
次いで、図６に示すように隠蔽部１２を折り畳み、情報記入欄２３を隠蔽する。図示したように宛名部１１と隠蔽部１２の間にあるミシン目６を谷折りすると、隠蔽部１２は再剥離粘着剤１４を介して通信部２１に再剥離可能に接着される。こうして完成した隠蔽ハガキ４は、宛名部１１と通信部２１がハガキ本体に相当し、このハガキ本体は上質紙７０Ｋの上紙１と上質紙５５Ｋの下紙２とを再剥離粘着剤１４で貼合したものであるから、ハガキ本体の重量が２ｇ以上の規定重量を満たしている。また、隠蔽部１２が貼付物に相当するが、この貼付物は上質紙７０Ｋの上紙１を再剥離粘着剤１４で接着したものであるため、ハガキ全体の重量が６ｇを超えることもなく、郵便ハガキとして返送することが可能になる。このように剥離部２２を剥がして折り畳むだけで情報記入欄２３の機密性を保持して郵送できるので、ユーザにとっての作業は極めて簡単で使いやすい。
【００２８】
返信された隠蔽ハガキ４を受け取った企業は、図７に示すように隠蔽部１２を再剥離することにより、隠れていた情報記入欄２３の記入事項を確認することができる。また、郵送途中に隠蔽ハガキ４が水濡れして再剥離粘着剤１４の接着力が増していたとしても、情報記入欄２３の上に塗布された保護層２４によって、情報記入欄２３を破損せずに隠蔽部１２だけを容易に剥がすことができる。しかも隠蔽部１２を剥がした後に現れる保護層２４の上には再剥離粘着剤１４がまったく残らないため、記入事項が読み取れなくなる恐れもなく、またその上に新たに筆記や捺印を行うこともできるので業務上便利である。
【００２９】
以上説明したように、本実施例では表紙１に上質紙７０Ｋを、裏紙２に上質紙５５Ｋを使用したが、これとは逆に表紙１に上質紙５５Ｋを、裏紙２に上質紙７０Ｋを使用してもよい。また、両用紙１、２を共に上質紙５５Ｋにすることも可能であるが、この場合完成したハガキが薄くなり若干腰が弱く感じられるので、上記のように上質紙５５Ｋと７０Ｋを組み合わせて使用するのがより好ましい。一方、両用紙１、２を共に上質紙７０Ｋにすると、再剥離粘着剤１４の塗布量等によっては完成したハガキが厚くなりすぎてプリンタでのトラブルが発生しやすくなるので避けるべきである。なお、表紙１と裏紙２を再剥離粘着剤１４で貼り合わせたときに郵便ハガキの規定重量を満たすものであれば、上質紙以外のその他の紙類を使用することも可能である。
【産業上の利用可能性】
【００３０】
上述した実施例は隠蔽ハガキの通信部を口座振替申込書に適用した例であるが、これに限らず例えばクレジット払い申込書、住所変更届、アンケートハガキのように記入した情報の機密性を保持して返信する用途のものであれば同様に適用でき、本考案は多様な用途に利用可能である。
【図面の簡単な説明】
【００３１】
【図１】本考案に係る隠蔽ハガキ用シートの表面側を示す外観図である。
【図２】図１の隠蔽ハガキ用シートの裏面側を示す外観図である。
【図３】図１の隠蔽ハガキ用シートの（iii）−（iii）線断面図である。
【図４】図１の隠蔽ハガキ用シートに印刷を施したときの状態を示す説明図である。
【図５】図４の隠蔽ハガキの剥離部を剥がすときの状態を示す説明図である。
【図６】図５の隠蔽ハガキの通信部を隠蔽するときの状態を示す説明図である。
【図７】図６の隠蔽ハガキの隠蔽部を再度剥がすときの状態を示す説明図である。
【符号の説明】
【００３２】
１  表紙
２  裏紙
３  隠蔽ハガキ用シート
４  隠蔽ハガキ
５  切り取り用のミシン目
６  折り畳み用のミシン目
７  スリット
１１  宛名部
１２  隠蔽部
１３  隠蔽層
１４  再剥離粘着剤
２１  通信部
２２  剥離部
２３  情報記入欄
２４  保護層
２５  剥離層
【図１】
0003112842.tif 000003
【図２】
0003112842.tif 000004
【図３】
0003112842.tif 000005
【図４】
0003112842.tif 000006
【図５】
0003112842.tif 000007
【図６】
0003112842.tif 000008
【図７】
0003112842.tif 000009